(57)【要約】【課題】  小型電子機器の収納及び引き出しが容易で使い勝手が良く、収納中に小型電子機器が塵埃を被らず、簡素な構造でコストが低い小型電子機器用収納台を提供する。【解決手段】  支持フレーム２と、支持フレーム２に対し前後方向に移動可能に支持され、小型電子機器として例えばノート型パソコンを収納する収納部３と、収納部３を開閉するよう支持フレーム２に揺動可能に支持されたカバー４と、収納部３とカバー４とを連結するとともに、カバー４を開けるときは収納部３を前方向に押し出し、カバー４を閉じるときは収納部３を後方向に引き戻す連結機構５と、支持フレーム２に取付けられた脚６とを備える。連結機構５は、アーム３０とリンク部材４０を有し、アーム３０とリンク部材４０が連結されている。【選択図】      図４
2005080955.tif 000002
【特許請求の範囲】
【請求項１】
支持フレームと、
この支持フレームに対し前後方向に移動可能に支持され、小型電子機器を収納する収納部と、
この収納部を開閉するよう前記支持フレームに揺動可能に支持されたカバーと、
前記収納部と前記カバーとを連結するとともに、前記カバーを開けるときは前記収納部を前方向に押し出し、前記カバーを閉じるときは前記収納部を後方向に引き戻す連結機構と、
前記支持フレームに取付けられた脚と、
を備えたことを特徴とする小型電子機器用収納台。
【請求項２】
前記連結機構は、一端部が前記カバーの内側後部に取付けられたアームと、前記収納部の後部に突設されたピンを受容する細長い開口を有するリンク部材とを有し、前記アームの他端部と前記リンク部材の対応端部とを連結し、前記カバーを開けるときに前記リンク部材の対応端部側を押す当接片を前記アームの他端部に設けたことを特徴とする請求項１記載の小型電子機器用収納台。
【請求項３】
前記収納部の裏側にテーブルを引き出し可能に設けたことを特徴とする請求項１又は請求項２記載の小型電子機器用収納台。
【請求項４】
前記カバーを閉じた状態でロックする鍵を前記収納部及びカバーに設けたことを特徴とする請求項１、請求項２又は請求項３記載の小型電子機器用収納台。
【発明の詳細な説明】
【技術分野】
【０００１】
この発明は、小型電子機器（ノートブック型パーソナルコンピュータ、携帯情報端末等）を収納する小型電子機器用収納台に関し、詳細には小型電子機器を収納した収納部をカバーの開閉により前後方向に移動させることのできる小型電子機器用収納台に関する。
【背景技術】
【０００２】
小型電子機器として例えばノート型パソコンを収納する技術としては、例えば、天面部、左右側面部、背面部により収納ケースを形成し、背面部にノート型パソコンの配線を保護した状態で保持可能とする配線保護装置を備えたパソコン用収納ケースがある（例えば、特許文献１参照）。この収納ケースは、ノート型パソコンを載せた移動架台をキャスター部により手前側に引き出すことができる。
【０００３】
また、フラットディスプレイ昇降ユニットとして、ハウジング内に上下方向に設けたラック、ピニオンを下面に設けた昇降板、昇降板の上下動に連動して開閉する蓋からなり、天板の開口部に合致するように天板下に昇降ユニットを組み込んだパソコンデスクがある（例えば、特許文献２参照）。
【特許文献１】実用新案登録第３０８０７３０号公報
【特許文献２】特開２０００−３５４５２１号公報
【発明の開示】
【発明が解決しようとする課題】
【０００４】
上記特許文献１記載の収納ケースは、机上等に置いて使用するものであり、ノート型パソコンを使用するときは、収納ケースの前側開口からパソコンを前方に引き出し、パソコンを収納するときは、収納ケースの前側開口からパソコンを後方に押し入れる必要があり、引き出し及び収納が面倒である。しかも、収納ケースの前側はパソコンを出入するために大きく開口しているため、この開口から塵埃が収納ケース内に簡単に入り、塵埃がパソコンに付着し易い。
【０００５】
また、上記特許文献２記載のパソコンデスクでは、フラットディスプレイを使用するときは、ピニオンを作動させて昇降板を上昇させることにより、ディスプレイが天板の開口部から迫り出し、フラットディスプレイを収納するときは、ピニオンを作動させて昇降板を降下させることにより、ディスプレイがデスク内に入るが、昇降板を上下動させるにはピニオンを作動させなければならず面倒である。その上、ディスプレイの昇降については記載されているが、ディスプレイが接続される小型電子機器としてのパソコンについて、どのように収納するのかの記載はなされていない。
【０００６】
この発明は、そのような問題点に着目してなされたもので、小型電子機器の収納及び引き出しが容易で使い勝手が良く、収納中に小型電子機器が塵埃を被らず、簡素な構造でコストが低い小型電子機器用収納台を提供することを目的とする。
【課題を解決するための手段】
【０００７】
前記目的を達成するために、本発明の小型電子機器用収納台は、支持フレームと、この支持フレームに対し前後方向に移動可能に支持され、小型電子機器を収納する収納部と、この収納部を開閉するよう支持フレームに揺動可能に支持されたカバーと、収納部とカバーとを連結するとともに、カバーを開けるときは収納部を前方向に押し出し、カバーを閉じるときは収納部を後方向に引き戻す連結機構と、支持フレームに取付けられた脚とを備えたことを特徴とする。
【０００８】
この小型電子機器用収納台では、収納部に小型電子機器を収納しておく。小型電子機器を使用するときはカバーを開け、小型電子機器を収納するときはカバーを閉めるだけでよい。すなわち、カバーを開けると、カバーが開くに連れて連結機構により収納部が前方向に押し出されるので、収納部に小型電子機器が入ったまま小型電子機器を使用できる。反対にカバーを閉じると、カバーが閉じるに伴って連結機構により収納部が後方向に引き戻され、カバーを完全に閉じた時点で、収納部が元の位置に復帰する。
【０００９】
この小型電子機器用収納台において、具体的に連結機構は、一端部がカバーの内側後部に取付けられたアームと、収納部の後部に突設されたピンを受容する細長い開口を有するリンク部材とを有し、アームの他端部とリンク部材の対応端部とを連結し、カバーを開けるときにリンク部材の対応端部側を押す当接片をアームの他端部に設けたものである。
【００１０】
また、この小型電子機器用収納台において、収納部の裏側にテーブルを引き出し可能に設けるのが好ましい。
【００１１】
更に、この小型電子機器用収納台において、カバーを閉じた状態でロックする鍵を収納部及びカバーに設けるのが好適である。
【００１２】
なお、本発明において、小型電子機器とは、ノート型パソコン、携帯情報端末（ＰＤＡ）、スキャナなどを指す。
【発明の効果】
【００１３】
請求項１記載の発明によれば、カバーの開閉だけで小型電子機器の収納及び引き出しを簡単に行うことができ、小型電子機器のユーザにとっては非常に使い勝手が良い。また、収納状態では、収納部がカバーにより覆われているので、収納中に小型電子機器が塵埃を被らない。更に、基本的に収納部とカバーを連結機構により連結した構造であるため、簡素な構造でコストを低く抑えることができる。
【００１４】
請求項２記載の発明によれば、単純な構造且つ低コストで連結機構を構成できる。
【００１５】
請求項３記載の発明によれば、テーブルをマウスの置き台として使用することができ、便利である。
【００１６】
請求項４記載の発明によれば、他人が勝手に小型電子機器を使用したり、ＣＤ・ＤＶＤ等の記憶媒体からデータを盗んだりすることができなくなるだけでなく、小型電子機器自体を盗用できなくなる。
【発明を実施するための最良の形態】
【００１７】
以下、実施の形態により、この発明を更に詳細に説明する。
【００１８】
一実施形態に係る小型電子機器用収納台の正面図を図１に、その収納台の右側面図を図２に、その収納台の平面図（上面図）を図３に、カバーを開けた状態の要部斜視図を図４（但し、図１〜図３に示す形状とは幾分異なる部分がある）に示す。
【００１９】
この小型電子機器用収納台１Ａは、平面視コ字状の支持フレーム２と、この支持フレーム２に対し前後方向に移動可能に支持され、小型電子機器としてのノート型パソコン（図示せず）を収納する収納部３と、この収納部３を開閉するよう支持フレーム２に揺動可能に支持されたカバー４と、収納部３とカバー４とを連結するとともに、カバー４を開けるときは収納部３を前方向に押し出し、カバー４を閉じるときは収納部３を後方向に引き戻す連結機構５と、支持フレーム２に取付けられた４本の脚６とを備える。
【００２０】
支持フレーム２の前側と後側にはそれぞれ左右に脚６が例えば溶接により接合されており、各脚６の下端部にはそれぞれキャスター１０が取付けられ、キャスター１０により当該収納台１Ａを全方位に容易に移動させることができる。なお、図面には示していないが、キャスター１０の少なくとも１個に回転を制止するストッパを設けてもよい。
【００２１】
４本の脚６の中央より下側には、例えばプリンタやスキャナ等のパソコン周辺機器を置くことのできる載置板１４が取付けられ、この載置板１４の両側部及び後部には、周辺機器が落ちないようにするための落下止め１５ａ，１５ｂが設けられている。
【００２２】
４本の脚６の上部にはそれぞれ突片１７が取付けられ、左右両側の突片１７にそれぞれハンドル１８がネジにより固定されている。このハンドル１８は、当該収納台１Ａを移動させるときに使用するものである。
【００２３】
一方、図４に示すように、支持フレーム２の内側面に前後方向に沿って設けられたレール２１と、収納部３の外側面に前後方向に沿って設けられたレール２２とが互いに係合することで、収納部３は支持フレーム２に対し前後方向に移動可能に支持される。収納部３は、内部にノート型パソコンを収納できる空間を有し、後部に配線等を通すための開口２５が形成されている。但し、開口２５は無くてもよい。
【００２４】
カバー４は支持フレーム２に支持ピン２７により揺動可能に支持され、このカバー４により収納部３の上部開口を開閉できる。
【００２５】
収納部３とカバー４を連結する連結機構５は、図５の（ａ）に示すような形状のアーム３０と、図５の（ｂ）に示すような形状のリンク部材４０とを有する。アーム３０は、固定部３１と作用部３２とからなる。固定部３１は２つのネジ挿通孔３３を有し、作用部３２はピン挿通孔３４と当接片３５を端部に有する。但し、当接片３５は、左右のアーム３０では対称位置に付いている。リンク部材４０はピン挿通孔４１と細長い開口４２を有する。
【００２６】
図７に要部拡大図で示すように、アーム３０は、その固定部３１がネジ挿通孔３３に通したネジによりカバー４の内側後部に取付けられる。リンク部材４０は、その開口４２が収納部３の後部の突片５１に突設されたピン５２を受容する。アーム３０とリンク部材４０は、リンク部材４０をアーム３０の当接片３５側にして双方のピン挿通孔３４，４１に通したピン５５により連結される。これにより、リンク部材４０は、開口４２でピン５２の移動を許容しつつアーム３０の作用部３２に対して相対的に回転可能である。また、アーム３０とリンク部材４０を連結した状態では、リンク部材４０のピン５５側の端部がアーム３０の当接片３５に当接可能となる。
【００２７】
他方、カバー４の前側には把手６０が付設され、収納部３及びカバー４の対応位置には鍵６１が取付けられている。
【００２８】
更に、収納部３の裏側には、図６の（ａ）（裏側から見た斜視図）に示すような形状のテーブル７０が引き出し可能に設けられている。このテーブル７０は、前側に把手７１を有し、裏側にストッパ７２が設けられており、図６の（ｂ）（要部断面図）に示すように、収納部３の裏側に前後方向に沿って付設された一対のガイド７５間に挿入されている。このテーブル７０は、ストッパ７２が前側の２本の脚６に架設されたロッド７７（図１）に当たることで、テーブル７０の前方向への必要以上の引き出しが阻止される。なお、ストッパ７２には緩衝材（例えば弾性環状部材）を周設し、ストッパ７２がロッド７７に当たるときの衝撃や音を緩和してもよい。
【００２９】
このように構成した小型電子機器用収納台１Ａでは、収納部３にノート型パソコンを収納する。また、必要に応じて載置板１４にプリンタやスキャナ等の周辺機器を置き、収納部３の開口２５を通したケーブルでパソコンとそれら周辺機器を接続しておく。
【００３０】
パソコンを使用するときはカバー４を開ける。すると、図７に示すように、カバー４が支持ピン２７を支点として回転するのに伴い、アーム３０の作用部３２の固定部３１側が上方に引き上げられるとともに、作用部３２のピン５５側が斜め下向き前方に向かって変位するので、作用部３２の当接片３５によりリンク部材４０の端部が押され、リンク部材４０が斜め下向き前方に移動する。これに連れて、ピン５２がリンク部材４０の開口４２を移動しながら、リンク部材４０によって前方に押される結果、収納部３が前方に移動する。
【００３１】
カバー４を図７の二点鎖線で示す位置まで開けると、リンク部材４０の端部がアーム３０の作用部３２の当接片３５に当たり、カバー４がそれ以上開かなくなるとともに、カバー４の開状態が保持される。カバー４の開状態では、収納部３が前方に最大に出るので、収納部３にパソコンを置いたままパソコンを使用できる。すなわち、収納部３をパソコン用の作業デスクとして使用できる。また、テーブル７０を引き出せば、テーブル７０上でマウスを操作することも可能である。勿論、テーブル７０にはマウス以外の小物類（パソコン等の取扱説明書、雑誌等）を置いてもよい。
【００３２】
カバー４を閉じるときは、前記と逆の作用により、収納部３が後方に引き戻される。すなわち、カバー４を閉じていくと、アーム３０の作用部３２のピン５５側が斜め下向き後方に変位するのに連れて、リンク部材４０が後方に引っ張られる。これに伴い、ピン５２がリンク部材４０の開口４２を移動しながら、リンク部材４０によって後方に引っ張られることで、収納部３が後方に移動する。カバー４を実線で示す位置まで閉じると、リンク部材４０の端部がアーム３０の作用部３２の当接片３５に当たり、カバー４が完全に閉じた状態になる。
【００３３】
カバー４を閉じた状態で鍵６１を閉めれば、他人が勝手にパソコンを使用したり、ＣＤ・ＤＶＤ等の記憶媒体からデータを盗んだりすることができなくなるだけでなく、パソコン自体を盗用できなくなり、セキュリティが高まる。また、カバー４の上に物を置いておくこともできる。
【００３４】
上記実施形態の小型電子機器用収納台１Ａは、脚６が長く、椅子等に座って収納部３のパソコンを使用するようになっているが、図８に示す小型電子機器用収納台１Ｂのように、短い脚７であってもよい。各脚７の下端部にはそれぞれゴム等からなるキャップ１１が取付けられ、当該収納台１Ｂを床等に置いたときに床等を傷つけないようになっている。この場合、床や畳等に座して収納部３のパソコンを使用する。勿論、収納台１Ｂをテーブル等の上に置いて使用してもよい。
【００３５】
なお、収納部３にはパソコンを１台だけ収納する必要はなく、収納台１Ａ，１Ｂの大きさにより２台以上のパソコンを収納してもよく、或いはパソコンとＰＤＡを一緒に収納してもよい。
【図面の簡単な説明】
【００３６】
【図１】一実施形態に係る小型電子機器用収納台の正面図である。
【図２】同小型電子機器用収納台の右側面図である。
【図３】同小型電子機器用収納台の平面図（上面図）である。
【図４】同小型電子機器用収納台のカバーを開けた状態の要部斜視図である。
【図５】同小型電子機器用収納台の連結機構を構成するアームの斜視図（ａ）、及び同じく連結機構を構成するリンク部材の斜視図（ｂ）である。
【図６】同小型電子機器用収納台のテーブルを裏側から見た斜視図（ａ）、及びそのテーブルを収納部の裏側に取付けたときの要部断面図（ｂ）である。
【図７】同小型電子機器用収納台の連結機構の作用を説明するための要部拡大図である。
【図８】別実施形態に係る小型電子機器用収納台の正面図である。
【符号の説明】
【００３７】
１Ａ，１Ｂ    小型電子機器用収納台
２            支持フレーム
３            収納部
４            カバー
５            連結機構
６，７        脚
２７          支持ピン
３０          アーム
３５          当接片
４０          リンク部材
４２          開口
６１          鍵
７０          テーブル
【図１】
2005080955.tif 000003
【図２】
2005080955.tif 000004
【図３】
2005080955.tif 000005
【図４】
2005080955.tif 000006
【図５】
2005080955.tif 000007
【図６】
2005080955.tif 000008
【図７】
2005080955.tif 000009
【図８】
2005080955.tif 000010